(57)【要約】      （修正有）【課題】ＭＩＣＲデータの認証時の待ち時間を有効利用することにより、トータルの小切手処理を短縮することが可能な小切手処理システムを提供する。【解決手段】小切手処理システム１は、小切手処理装置１０と、小切手処理装置１０のホストコンピュータとしてのレジスター装置４０とを備えている。小切手処理装置１０は、小切手Ｓ上に記録されたＭＩＣＲを読み取り、レジスター装置４０との間でデータ通信を行う。レジスター装置４０は、小切手処理装置１０および決済機関サーバ６０との間でデータ通信を行う。小切手処理システム１では、ＭＩＣＲ認証のための待ち時間を利用して、予め表面画像データを小切手処理装置１０からレジスター装置４０まで送信する。【選択図】      図３
2004341934.tif 000002
【特許請求の範囲】
【請求項１】
小切手上に記録されたＭＩＣＲを読み取り、ＭＩＣＲデータを入手するＭＩＣＲ読み取りセンサと、
前記小切手をスキャンして、小切手画像データを生成するスキャナと、
ホストコンピュータとの間でデータ通信を行う通信制御部と、
前記ホストコンピュータからの指示に基づき、前記ＭＩＣＲ読み取りセンサおよび前記スキャナを制御する制御部と、を備え、
前記制御部は、前記小切手の認証を行うために前記通信制御部を介して前記ホストコンピュータに前記ＭＩＣＲデータを送信し、
前記制御部は、前記通信制御部を介して前記ホストコンピュータに前記ＭＩＣＲデータを送信してから認証結果を受け取るまでの間に前記ホストコンピュータに前記小切手画像データを送信することを特徴とする小切手処理装置。
【請求項２】
前記小切手上に印字を行うヘッドを備えたことを特徴とする請求項１記載の小切手処理装置。
【請求項３】
前記制御部は、前記ホストコンピュータからのＭＩＣＲ読み取りおよび小切手画像読み取り指示に応じて、前記ＭＩＣＲデータおよび前記小切手画像データを順次送信することを特徴とする請求項１または２記載の小切手処理装置。
【請求項４】
小切手処理装置および認証用のサーバとの間でデータ通信を行う通信制御部と、
前記通信制御部を介して前記小切手処理装置を制御する制御部と、を備え、
前記制御部は、小切手上に記録されたＭＩＣＲからＭＩＣＲデータを入手し、
前記制御部は、前記小切手の認証を行うために、前記小切手処理装置から受け取った前記ＭＩＣＲデータをサーバに送信し、
前記制御部は、前記小切手の認証結果を前記サーバから受け取る前に、前記小切手処理装置に前記画像データの送信要求を行うことを特徴とする小切手処理装置のホストコンピュータ。
【請求項５】
前記小切手処理装置に前記小切手上への印字を指示することを特徴とする請求項４記載の小切手処理装置のホストコンピュータ。
【請求項６】
前記ＭＩＣＲデータおよび前記小切手画像データを順次送信するよう前記小切手処理装置に指示することを特徴とする請求項４または５記載の小切手処理装置のホストコンピュータ。
【請求項７】
前記小切手処理装置から受け取った前記小切手画像データを表示する表示部と、
ユーザによる入力を行うための入力部と、を備え
前記通信制御部は、前記認証結果を受信するより前に、前記小切手処理装置から前記小切手画像データを受信し、
前記表示部は、前記小切手画像データを表示して、ユーザに前記小切手画像データ上に表示された金額を前記入力部を介して入力可能とすることを特徴とする請求項４〜６のいずれか一項記載の小切手処理装置のホストコンピュータ。
【請求項８】
小切手上に記録されたＭＩＣＲを読み取ってＭＩＣＲデータを入手し、かつ前記小切手をスキャンして前記小切手の画像データを生成する小切手処理装置と、
前記小切手処理装置から前記ＭＩＣＲデータと前記小切手の画像データを受け取り、かつ前記ＭＩＣＲデータを基に前記小切手の認証を行うサーバとの間に通信可能に接続されるホストコンピュータと、を有し、
前記ホストコンピュータは、前記小切手の認証結果を前記サーバから受け取る前に、前記小切手処理装置に前記画像データの送信要求を行うことを特徴とする小切手処理システム。
【請求項９】
前記小切手処理装置は、前記ホストコンピュータから送信された前記画像データの送信要求に応じて、前記ホストコンピュータが前記サーバから前記小切手の認証結果を受け取る前に、前記ホストコンピュータに前記小切手の画像データを送信することを特徴とする請求項８記載の小切手処理システム。
【請求項１０】
前記小切手上に印字を行うヘッドを備えたことを特徴とする請求項８記載の小切手処理システム。
【請求項１１】
前記小切手処理装置は、前記ホストコンピュータからのＭＩＣＲ読み取りおよび小切手画像読み取り指示に応じて、前記ＭＩＣＲデータおよび前記小切手画像データを順次送信することを特徴とする請求項８〜１０のいずれか一項記載の小切手処理システム。
【請求項１２】
前記ホストコンピュータは、前記小切手処理装置から受け取った前記小切手画像データを表示する表示部と、ユーザによる入力を行うための入力部と、を備え、
前記ホストコンピュータは、前記認証結果を受信するより前に、前記小切手処理装置から前記小切手画像データを受信し、
前記表示部は、前記小切手画像データを表示し、ユーザに前記小切手画像データ上に表示された金額を前記入力部を介して入力可能とすることを特徴とする請求項８〜１１のいずれか一項記載の小切手処理システム。
【請求項１３】
小切手上に記録されたＭＩＣＲからＭＩＣＲデータ読み取るように小切手読み取り装置に要求するステップと、
前記小切手の認証のために、前記ＭＩＣＲデータをサーバに送信するステップと、
前記小切手の認証結果を前記サーバから受け取る前に前記小切手処理装置に前記画像データの送信要求を行うステップとを有することを特徴とする小切手読み取り装置を制御するホストコンピュータの制御方法。
【請求項１４】
コンピュータに、小切手上に記録されたＭＩＣＲからＭＩＣＲデータ読み取るように小切手読み取り装置に要求させ、
コンピュータに、前記小切手の認証のために、前記ＭＩＣＲデータをサーバに送信させ、
コンピュータに、前記小切手の認証結果を前記サーバから受け取る前に前記小切手処理装置に前記画像データの送信要求を行わせることを特徴とする小切手読み取り装置を制御するホストコンピュータの制御プログラム。
【発明の詳細な説明】
【０００１】
【発明の属する技術分野】
本発明は、店舗または金融機関で用いられる小切手処理装置、小切手処理装置のホストコンピュータ、小切手処理システム、小切手読み取り方法および小切手読み取りプログラムに関する。
【０００２】
【従来の技術】
店舗や銀行における決済では、現金やクレジットカードの他に小切手が用いられることがある。例えば、店舗における決済において商品やサービスの対価の支払いに小切手が用いられる場合、店舗側は買い手である顧客から小切手を受け取り、その有効性を確認する。店舗側は、受け取った小切手が有効であれば、状況に応じて小切手に必要事項を書き入れて、商品またはサービスを提供する。
【０００３】
そして、店舗側は、小切手を銀行等の決済機関に持ち込み、小切手の振出人の口座から店舗の口座への現金の振込処理を行って、決済を完了する。このように、従来の小切手決済においては、店舗から決済機関へ小切手を持ち込んだ後に決済を完了していた。
【０００４】
一方、近年では、小切手による決済処理の電子化が進んでおり、店舗に設置された端末装置を用いて、小切手上のＭＩＣＲ（Ｍａｇｎｅｔｉｃ  Ｉｎｋ  Ｃｈａｒａｃｔｅｒ  Ｒｅｃｏｇｎｉｔｉｏｎ）で記録された口座番号等のデータを読み出し、決済金額とともに保存する。そして、店舗側は、このデータを夜間等の決められた時間帯に決済機関のサーバーへ送信して決済を行う決済システムが実用化されてきている。この決済システムでは、用いられた小切手は、スキャナ等によりスキャンされて店舗側には小切手の画像データのみが残され、店舗側から顧客にその場で返却される。したがって、この決済システムでは、決済がなされた小切手を決済機関へ持ち込む必要がないため、業務効率が向上する。
【０００５】
例えば、本出願人が出願した特願２００１−３５２１７９号は、この決済処理において、小切手をスキャナでスキャンし、小切手の画像データを取得して店舗側で保存する具体的な小切手処理装置について開示している。
【０００６】
【発明が解決しようとする課題】
しかしながら、従来の小切手処理装置においては、小切手上に記録されたＭＩＣＲを読みとり、そして小切手の認証を行った後に、小切手の画像データを取得するように構成されている。通常、ＭＩＣＲ読み取り後のＭＩＣＲデータの認証には、ある程度の時間が必要であり、認証が終わらない限り小切手処理装置は、次の動作を行うことができない。したがって、トータルの小切手処理に時間がかかってしまい、業務効率が上がらないという問題点があった。
【０００７】
本発明は、上記問題点等を鑑み、ＭＩＣＲデータの認証時の待ち時間を有効利用することにより、トータルの小切手処理を短縮することが可能な小切手処理装置、小切手処理装置のホストコンピュータ、小切手処理システム、小切手読み取り方法および小切手読み取りプログラムを提供することを目的とする。
【０００８】
【課題を解決するための手段】
（１）  小切手上に記録されたＭＩＣＲを読み取り、ＭＩＣＲデータを入手するＭＩＣＲ読み取りセンサと、
前記小切手をスキャンして、小切手画像データを生成するスキャナと、
ホストコンピュータとの間でデータ通信を行う通信制御部と、
前記ホストコンピュータからの指示に基づき、前記ＭＩＣＲ読み取りセンサおよび前記スキャナを制御する制御部と、を備え、
前記制御部は、前記小切手の認証を行うために前記通信制御部を介して前記ホストコンピュータに前記ＭＩＣＲデータを送信し、
前記制御部は、前記通信制御部を介して前記ホストコンピュータに前記ＭＩＣＲデータを送信してから認証結果を受け取るまでの間に前記ホストコンピュータに前記小切手画像データを送信することを特徴とする小切手処理装置。
（２）  前記小切手上に印字を行うヘッドを備えたことを特徴とする（１）記載の小切手処理装置。
（３）  前記制御部は、前記ホストコンピュータからのＭＩＣＲ読み取りおよび小切手画像読み取り指示に応じて、前記ＭＩＣＲデータおよび前記小切手画像データを順次送信することを特徴とする（１）または（２）記載の小切手処理装置。
（４）  小切手処理装置および認証用のサーバとの間でデータ通信を行う通信制御部と、
前記通信制御部を介して前記小切手処理装置を制御する制御部と、を備え、
前記制御部は、小切手上に記録されたＭＩＣＲからＭＩＣＲデータを入手し、
前記制御部は、前記小切手の認証を行うために、前記小切手処理装置から受け取った前記ＭＩＣＲデータをサーバに送信し、
前記制御部は、前記小切手の認証結果を前記サーバから受け取る前に、前記小切手処理装置に前記画像データの送信要求を行うことを特徴とする小切手処理装置のホストコンピュータ。
（５）  前記小切手処理装置に前記小切手上への印字を指示することを特徴とする（４）記載の小切手処理装置のホストコンピュータ。
（６）  前記ＭＩＣＲデータおよび前記小切手画像データを順次送信するよう前記小切手処理装置に指示することを特徴とする（４）または（５）記載の小切手処理装置のホストコンピュータ。
（７）  前記小切手処理装置から受け取った前記小切手画像データを表示する表示部と、
ユーザによる入力を行うための入力部と、を備え
前記通信制御部は、前記認証結果を受信するより前に、前記小切手処理装置から前記小切手画像データを受信し、
前記表示部は、前記小切手画像データを表示して、ユーザに前記小切手画像データ上に表示された金額を前記入力部を介して入力可能とすることを特徴とする請求項（４）〜（６）のいずれか一つに記載の小切手処理装置のホストコンピュータ。
（８）  小切手上に記録されたＭＩＣＲを読み取ってＭＩＣＲデータを入手し、かつ前記小切手をスキャンして前記小切手の画像データを生成する小切手処理装置と、
前記小切手処理装置から前記ＭＩＣＲデータと前記小切手の画像データを受け取り、かつ前記ＭＩＣＲデータを基に前記小切手の認証を行うサーバとの間に通信可能に接続されるホストコンピュータと、を有し、
前記ホストコンピュータは、前記小切手の認証結果を前記サーバから受け取る前に、前記小切手処理装置に前記画像データの送信要求を行うことを特徴とする小切手処理システム。
（９）  前記小切手処理装置は、前記ホストコンピュータから送信された前記画像データの送信要求に応じて、前記ホストコンピュータが前記サーバから前記小切手の認証結果を受け取る前に、前記ホストコンピュータに前記小切手の画像データを送信することを特徴とする（８）記載の小切手処理システム。
（１０）  前記小切手上に印字を行うヘッドを備えたことを特徴とする（８）記載の小切手処理システム。
（１１）  前記小切手処理装置は、前記ホストコンピュータからのＭＩＣＲ読み取りおよび小切手画像読み取り指示に応じて、前記ＭＩＣＲデータおよび前記小切手画像データを順次送信することを特徴とする（８）〜（１０）のいずれか一つに記載の小切手処理システム。
（１２）  前記ホストコンピュータは、前記小切手処理装置から受け取った前記小切手画像データを表示する表示部と、ユーザによる入力を行うための入力部と、を備え、
前記ホストコンピュータは、前記認証結果を受信するより前に、前記小切手処理装置から前記小切手画像データを受信し、
前記表示部は、前記小切手画像データを表示し、ユーザに前記小切手画像データ上に表示された金額を前記入力部を介して入力可能とすることを特徴とする（８）〜（１１）のいずれか一つに記載の小切手処理システム。
（１３）  小切手上に記録されたＭＩＣＲからＭＩＣＲデータ読み取るように小切手読み取り装置に要求するステップと、
前記小切手の認証のために、前記ＭＩＣＲデータをサーバに送信するステップと、
前記小切手の認証結果を前記サーバから受け取る前に前記小切手処理装置に前記画像データの送信要求を行うステップとを有することを特徴とする小切手読み取り装置を制御するホストコンピュータの制御方法。
（１４）  コンピュータに、小切手上に記録されたＭＩＣＲからＭＩＣＲデータ読み取るように小切手読み取り装置に要求させ、
コンピュータに、前記小切手の認証のために、前記ＭＩＣＲデータをサーバに送信させ、
コンピュータに、前記小切手の認証結果を前記サーバから受け取る前に前記小切手処理装置に前記画像データの送信要求を行わせることを特徴とする小切手読み取り装置を制御するホストコンピュータの制御プログラム。
【０００９】
【発明の実施の形態】
以下、本発明に係る小切手処理システムの実施形態について、図面を参照しながら説明する。
（第１実施形態）
図１は、本発明に係る第１実施形態の小切手処理システム１を示す図であり、図２は、本実施形態の小切手処理装置１０の小切手搬送路の断面を説明する図であり、図３は、本実施形態の小切手処理システム１の機能ブロック図である。また、図４および図５は、本実施形態の小切手処理システム１を用いた一連の小切手処理を示すフローチャートである。
【００１０】
本実施形態の小切手処理システム１は、店舗に配置され、商品やサービスの対価として小切手での決済を実行可能なシステムである。この小切手処理システム１は、図１に示すように、小切手処理装置１０と、この小切手処理装置１０のホストコンピュータとして小切手処理装置１０を制御するレジスター装置４０とを有している。
【００１１】
本実施形態の小切手処理装置１０は、小切手Ｓの表面および裏面への小切手印字と、レシート発行用のロール紙へのロール紙印字が可能な複合型のプリンタである。小切手処理装置１０は、本体部１２の上面に正面側カバー１３と背面側カバー１４とが開閉可能に取り付けられている。
【００１２】
小切手処理装置１０の本体部１２内部には、図示せぬロール紙が設けられている。ロール紙は、本体部１２内部に設けられたロール紙搬送路（不図示）を搬送されて、印字が行われる。そして印字されたロール紙は、本体部１２の上面に開口したロール紙排出口１９より排出される。
【００１３】
また、小切手処理装置１０の正面側には、小切手Ｓを挿入可能な小切手挿入口１６が設けられている。小切手挿入口１６から挿入された小切手Ｓは、本体部１２に設けられた小切手搬送路２１を搬送されて、正面側カバー１３と背面側カバー１４との間に設けられた小切手排出口１８から排出される。本実施形態の小切手処理装置１０は、この小切手搬送路２１に沿って小切手Ｓを搬送しながら小切手Ｓへの印字、小切手Ｓの画像読み取り、小切手Ｓ上に印字されたＭＩＣＲの読み取り等を行う。
【００１４】
小切手搬送路２１に挿入された小切手Ｓは、図２に示すように、サブ小切手送りローラ２２ａと、サブ小切手送りローラ２２ａと小切手搬送路２１を挟んで対向配置されたサブ小切手押さえローラ２２ｂとに搬送され、小切手搬送路２１内部の裏面印字部２３に送られる。
【００１５】
裏面印字部２３は、小切手Ｓの裏面側に配置されたシリアルインパクトドットマトリクス方式の印字部２３ａと、印字部２３ａと小切手搬送路２１を挟んで対向配置されたプラテン２３ｂとから構成されている。この印字部２３ａは、小切手Ｓの裏面へ印字可能である。
【００１６】
裏面印字部２３からさらに搬送された小切手Ｓは、小切手送りローラ２４ａと、小切手送りローラ２４ａと用紙搬送路２１を挟んで対向配置された小切手押さえローラ２４ｂとによって搬送され、小切手搬送路２１内部の表面印字部２５に送り込まれる。
【００１７】
表面印字部２５は、小切手Ｓの表面側に配置されたシリアルインパクトドットマトリクス方式の印字部２５ａと、印字部２５ａと小切手搬送路２１を挟んで対向配置されたプラテン２５ｂとから構成されている。この印字部２５ａは、小切手Ｓの表面へ印字可能である。表面印字部２５からさらに搬送された小切手Ｓは、小切手画像情報読み取りセンサ２６に送られる。
【００１８】
小切手画像情報読み取りセンサ２６は、ＣＩＳタイプのイメージセンサ（スキャナ）であり、小切手Ｓの表面側に配置されている。小切手画像情報読み取りセンサ２６の小切手搬送路２１を挟んだ対向面側には、押しつけローラ２７が配置されている。この押しつけローラ２７は、弾性部材等からなる押しつけ部材２７ａによって小切手画像情報読み取りセンサ２６の読み取り面２６ａに向けて小切手Ｓを小切手厚に応じた所定の押圧力で押しつけている。小切手画像情報読み取りセンサ２６は、小切手Ｓが押しつけローラ２７によって読み取り面２６ａに押し付けられた状態で、小切手Ｓの表面側に記録された画像情報を読み取り可能に構成されている。小切手画像情報読み取りセンサ２６と押しつけローラ２７間を通過した小切手Ｓは、小切手排出口１８から排出される。
【００１９】
また、小切手挿入口１６には小切手後端センサ２８ａが、またサブ小切手押さえローラ２２ｂの下流側には、小切手先端センサ２８ｂが設けられており、小切手搬送路２１内での小切手Ｓの有無の確認、ならびに表面印字部２５および裏面印字部２３による印字時の頭出し制御に用いられている。
【００２０】
また、表面印字部２５と小切手画像情報読み取りセンサ２６との間には、排出検出器２９が設けられており、小切手搬送路２１から小切手Ｓが排出されたかどうかを検出している。
【００２１】
また、小切手搬送路２１の小切手挿入口１６近傍には、ＭＩＣＲ読み取りセンサ３０が設けられている。このＭＩＣＲ読み取りセンサ３０は、例えば小切手Ｓに磁気インクを用いて印字されたＭＩＣＲを読み取るものである。このＭＩＣＲは、小切手の発行銀行番号、支点番号、口座番号、小切手の連続番号等のＭＩＣＲデータを示しており、このＭＩＣＲ読み取りセンサ３０を用いて読み取ることにより、小切手処理装置１０は、挿入された小切手のＭＩＣＲデータを認識することが可能である。
【００２２】
次に、再度図１を参照して、レジスター装置４０について説明する。レジスター装置４０は、例えば、店舗に配置されたＰＯＳシステムの一部を構成するものである。このレジスター装置４０は、ＵＳＢ等の通信ケーブル３８を介して小切手処理装置１０と通信可能に接続されており、小切手処理装置１０に各種コマンドを送信することによって、小切手処理装置１０を制御している。
【００２３】
このレジスター装置４０は、ディスプレー画面４２ａを覆う透明なシートパネルに電気的なボタンを形成し、ユーザから入力を受け付け可能なタッチパネル４２と、クレジットカードを読み取るためのクレジットカードリーダ４６と、ユーザが購入する商品の単価、個数、単価×個数、小計金額、合計金額、釣り銭額等を購入者に表示する表示部４７を備えている。
【００２４】
本実施形態のレジスター装置４０は、小切手による決済を行わない場合には、通常のレジスター装置と同様に、購入者が購入する商品の合計金額を算出し、現金やクレジットカードによる決済を行うために用いられる。
【００２５】
次に、図３を参照して、本実施形態の小切手処理システム１の構成を説明する。
【００２６】
図３に示すように、本実施形態の小切手処理システム１は、小切手処理装置１０とレジスター装置４０が通信ケーブル３８で接続されており、またレジスター装置４０は、ネットワーク５０を介して外部の決済機関サーバ６０に接続されている。以下、小切手処理装置１０、レジスター装置４０および決済機関サーバ６０の回路構成について順に説明する。
【００２７】
本実施形態の小切手処理システム１の小切手処理装置１０は、中央処理装置３６（以下、小切手処理装置側ＣＰＵ３６と呼ぶ）を有しており、この中央処理装置３６を中心として、各部材が制御されている。具体的に、小切手処理装置１０は、ＭＩＣＲ読み取りセンサ３０，表面印字部２５、裏面印字部２３、ロール紙印字部３１、小切手画像情報読み取りセンサ２６、小切手搬送部３３、小切手検出部３４，メモリ３２、小切手処理装置側通信制御部３５を有している。以下では、図１および図２の説明に関し既出でない部材について説明を行う。
【００２８】
ロール紙印字部３１は、例えば、本体部１２内部に設けられたサーマル方式の印字ヘッドとプラテンローラによって構成され、印字ヘッドを用いて、プラテンローラによって送り出されるロール紙上に文字を印字可能に構成されている。印字されたロール紙は、ロール紙搬送路を通ってロール紙排出口１９から排出される（図１参照）。
【００２９】
小切手搬送部３３は、小切手搬送路２１に沿って設けられた小切手送りローラ２４ａおよびサブ小切手送りローラ２２ａを含む制御回路から構成され、小切手搬送路２１内の小切手Ｓの搬送制御を行う。
【００３０】
小切手検出部３４は、小切手搬送路２１に沿って設けられた小切手後端センサ２８ａ、小切手先端センサ２８ｂ、排出検出器２９等を含む回路から構成され、小切手搬送路２１内の小切手の位置を検出する。小切手搬送部３３は、この小切手検出部３４によって検出された小切手位置に応じて、小切手送りローラ２４ａおよびサブ小切手送りローラ２２ａを駆動制御し、小切手搬送路２１内の小切手搬送を行う。
【００３１】
メモリ３２は、小切手処理装置１０内で用いられる記憶領域であり、ＲＡＭやＲＯＭによって構成される。外部のレジスター装置４０から送られてくる各種コマンドや印刷データは、このメモリ３２に一時的にバッファされた後、小切手処理装置側ＣＰＵ３６により各種処理が実行される。また、このメモリ３２は、小切手処理装置側ＣＰＵ３６が実行する処理プログラムが記憶されており、小切手処理装置側ＣＰＵ３６は、このメモリ３２から処理プログラムを読み出して実行する。
【００３２】
小切手処理装置側通信制御部３５は、通信ケーブル３８を介して接続されたレジスター装置４０との間の通信を制御するための制御部である。小切手処理装置側通信制御部３５は、小切手処理装置側ＣＰＵ３６からの指示に応じて、ＭＩＣＲ読み取りセンサ３０で読み取った小切手ＳのＭＩＣＲデータ、小切手画像情報読み取りセンサ２６で読み取った小切手Ｓの画像データ、または小切手処理装置１０のステータス情報等をレジスター装置４０に送出する。一方、小切手処理装置側通信制御部３５は、レジスター装置４０から各種コマンドや印刷データ等を受け取り、小切手処理装置側ＣＰＵ３６またはメモリ３２に送出する。
【００３３】
次に、同じく図３を参照しながら、レジスター装置４０について説明を行う。レジスター装置４０は、レジスター装置４０の各部材の制御を実行する中央処理装置４１（以下、レジスター装置側ＣＰＵ４１と呼ぶ）を中心に、タッチパネル４２、クレジットカードリーダ４６、表示部４７、レジスター側通信制御部４３、ネットワーク通信制御部４４、およびメモリ４５が設けられている。以下では、図１の説明に関し既出でない部材について説明を行う。
【００３４】
レジスター側通信制御部４３は、通信ケーブル３８を介して接続された小切手処理装置１０との間の通信を制御するための制御部である。レジスター側通信制御部４３は、レジスター装置側ＣＰＵ４１からの指示に応じて、各種要求コマンドや印刷データを小切手処理装置１０に送出する。一方、レジスター側通信制御部４３は、小切手処理装置１０で読み取られた小切手ＳのＭＩＣＲデータ、小切手Ｓの画像データ等を受け取る。
【００３５】
ネットワーク通信制御部４４は、ネットワーク５０を介して外部の決済機関サーバ６０に接続されており、外部の決済機関サーバ６０との間の通信を制御するための制御部である。
【００３６】
ここで、外部の決済機関サーバ６０とは、例えば、小切手を発行している銀行等の金融機関のサーバであり、小切手Ｓに関わる情報が保存されている。この外部の決済機関サーバ６０は、ネットワーク通信制御部４４を介して送信されたＭＩＣＲデータと、決済機関サーバ６０内に保存されている情報とを照合し、ＭＩＣＲデータが印字された小切手が利用可能なのものであるかどうかについての認証を行う。
【００３７】
また、ネットワーク通信制御部４４は、レジスター装置側ＣＰＵ４１からの指示に応じて、小切手Ｓの決済依頼をこの決済機関サーバ６０に送出するように構成されている。この決済依頼は、例えば、夜間等の適宜なタイミングで行われ、決済機関サーバ６０は、この決済依頼に応じて、小切手口座番号の口座から、依頼元である店舗の指定口座に指定された金額を振り込む振り込み処理を実行する。
【００３８】
メモリ４５は、レジスター装置４０内で用いられる記憶領域であり、ＲＡＭ、ＲＯＭ、ハードディスク等の大型の記憶装置等によって構成される。このメモリ４５には、レジスター装置側ＣＰＵ４１が実行する処理プログラムが記憶されており、レジスター装置側ＣＰＵ４１は、このメモリ４５から処理プログラムを読み出して各種処理を実行する。
【００３９】
次に、図４および図５を参照しながら、本実施形態の小切手処理システム１を用いた小切手処理について説明を行う。本実施形態の小切手処理は、小切手処理装置１０内の小切手処理装置側ＣＰＵ３６がメモリ３２内に保存された小切手処理用の実行プログラムを実行し、そしてレジスター装置４０のレジスター装置側ＣＰＵがメモリ４５内に保存された小切手処理用のアプリケーションプログラムを実行することにより行われるものである。
【００４０】
まず、店舗において、店員がある買物客についてのレジ処理をレジスター装置４０のタッチパネル４２を用いて入力すると、レジスター側ＣＰＵ４１は、その買い物客についての決済金額を決定する（ステップＳ１０１）。決済金額が決定されると、レジスター側ＣＰＵ４１は、タッチパネル４２に決済方法（ここでは、現金か、クレジットカードか、小切手か）を選択するための画面を表示させる（ステップＳ１０２）。
【００４１】
店員は、このタッチパネル４２上の表示を基に顧客に決済方法を尋ね、タッチパネル４２を介して買物客の要望する決済方法を入力する（ステップＳ１０３）。ここで、決済方法が現金またはクレジットカードの場合には、ステップＳ１０５に移行する。そして、現金の場合には、現金と商品の受け渡しにより決済を完了し、またクレジットカードの場合には、クレジットカードリーダ４６を介して買い物客のクレジットカード情報を読み取ることにより所定のクレジットカード処理を行う。
【００４２】
一方、決済方法が小切手の場合には、ステップＳ１０４によて、小切手の電子処理確認メッセージをタッチパネル４２に表示させ、小切手の電子処理を進める。
【００４３】
次に、図５に示されるフローチャートの説明に移る。小切手の電子処理を行うことが決定されると、レジスター装置４０のレジスター装置側ＣＰＵ４１は、タッチパネル４２に買物客の小切手Ｓを挿入するように促すメッセージを表示させる（ステップＳ１１１）。
【００４４】
ここでは、小切手Ｓは既に金額等の必要事項が記載されているものを挿入するという前提で以下の説明を行う。なお、金額等の必要事項が記載されていない場合には、以下の処理を始める前準備として、小切手処理装置１０を用いて、小切手Ｓに必要事項を印字するように構成しても良い。
【００４５】
小切手処理装置１０は、ステップＳ１１２にて、小切手Ｓの挿入を待ち、小切手Ｓが小切手挿入口１６から挿入されると、小切手の挿入が行われた旨をレジスター装置４０に通知する（ステップＳ１１３）。
【００４６】
レジスター装置４０は、小切手処理装置１０から挿入通知を受信すると、小切手Ｓ上に印字されたＭＩＣＲと小切手Ｓの表面画像を読み取るよう指示するＭＩＣＲ読み取りおよび小切手画像読み取り指示コマンドを生成し、小切手処理装置１０に送信する（ステップＳ１１４）。
【００４７】
小切手処理装置１０は、レジスター装置１０からＭＩＣＲ読み取りおよび小切手画像読み取り指示コマンドを受信すると、ＭＩＣＲ読み取りセンサ３０を用いて、挿入された小切手Ｓの表面に印字されたＭＩＣＲを読み取り、読み取ったＭＩＣＲデータをメモリ３２に一時的に保存する（ステップＳ１１５）。そして、小切手処理装置１０は、ステップＳ１１６にて、メモリ３２に一時的に保存されたＭＩＣＲデータをレジスター装置４０に送信する。
【００４８】
また、小切手処理装置１０は、ステップＳ１１６の処理と連続して、小切手画像情報読み取りセンサ２６を用いて、小切手Ｓの表面をスキャンして、表面画像を読み取り、そして読み取った表面画像データをメモリ３２に一時的に保存する（ステップＳ１１７）。
【００４９】
レジスター装置４０は、ステップＳ１１８にてＭＩＣＲデータを受信すると、買物客が提示した小切手Ｓが利用可能なものかどうかを確認するためにＭＩＣＲデータ認証要求を生成し、ネットワーク５０を介して決済機関サーバ６０に送信する（ステップＳ１１９）。
【００５０】
決済機関サーバ６０は、ステップＳ１２０にてレジスター装置４０からＭＩＣＲデータ認証要求を受け取ると、決済機関サーバ６０内に保存されているデータとの照合を行い、レジスター装置４０から送信されたＭＩＣＲデータが正規のものであるかどうか、および現在利用可能なものかどうかについて確認を行う（ステップＳ１２１）。そして、データの確認結果を基に、認証結果通知を作成し、この認証結果通知をレジスター装置４０に返信する（ステップＳ１２２）。
【００５１】
一方、レジスター装置４０は、ステップＳ１１９にて、ＭＩＣＲデータ認証要求を生成し、ネットワーク５０を介して決済機関サーバ６０に送信すると、ステップＳ１２３に移行し、小切手処理装置１０に読み取った小切手Ｓの表面画像データを送信するよう要求する表面画像データ送信要求を生成し、小切手処理装置１０に送信する（ステップＳ１２３）。
【００５２】
小切手処理装置１０は、ステップＳ１２４にてレジスター装置４０から表面画像データ送信要求を受信すると、メモリ３２に保存されている小切手Ｓの表面画像データを読み出して、レジスター装置４０に送信する（ステップＳ１２５）。
【００５３】
そして、レジスター装置４０は、小切手処理装置１０から表面画像データを受信すると、受信した表面画像データをメモリ４５に読み取ったＭＩＣＲデータと関連付けて保存する（ステップＳ１２６）。
【００５４】
なお、本実施形態では、ＭＩＣＲ認証要求を決済機関サーバ６０に送信してから、認証結果を受信するよりも早く、レジスター装置４０は、小切手処理装置１０から表面画像データを受信するように構成されている。一般に、ＭＩＣＲ認証には、ある程度の時間が必要となるが、本実施形態では、この待ち時間を利用して、予め表面画像データを小切手処理装置１０からレジスター装置４０まで送信するように構成している。
【００５５】
その後、レジスター装置４０は、ステップＳ１２７にて、決済機関サーバ６０から認証結果を受信すると、小切手Ｓの認証結果が問題ないかどうかについて確認する（ステップＳ１２８）。ここで、認証結果が問題なければ、小切手使用に関する同意を得るための同意書を印字する（ステップＳ１２９）。そして、買物客が同意書に同意すれば、最終処理を行い、小切手処理を完了する。
【００５６】
一方、認証結果に問題があれば、小切手処理を全てキャンセルし、処理を終了する（ステップＳ１３０）。
【００５７】
以上説明したように、本実施形態の小切手処理システム１は、小切手処理装置１０と、小切手処理装置１０のホストコンピュータとしてのレジスター装置４０とを備えている。
【００５８】
小切手処理装置１０は、小切手Ｓ上に記録されたＭＩＣＲを読み取り、ＭＩＣＲデータを入手するＭＩＣＲ読み取りセンサ３０と、小切手Ｓをスキャンして、小切手画像データを生成する小切手画像情報読み取りセンサ２６と、レジスター装置４０との間でデータ通信を行う小切手処理装置側通信制御部３５と、レジスター装置４０からの指示に基づき、ＭＩＣＲ読み取りセンサ３０および小切手画像情報読み取りセンサ２６を制御する小切手処理装置側ＣＰＵ３６と、を備えている。
【００５９】
一方、ホストコンピュータとしてのレジスター装置４０は、小切手処理装置１０および決済機関サーバ６０との間でデータ通信を行うレジスター装置側通信制御部４３およびネットワーク通信制御部４４と、レジスター装置側通信制御部４３を介して小切手処理装置１０を制御するレジスター装置側ＣＰＵ４１と、を備えている。
【００６０】
本実施形態では、小切手処理装置側ＣＰＵ３６は、小切手Ｓの認証を行うために小切手処理装置側通信制御部３５を介してレジスター装置４０にＭＩＣＲデータを送信し、レジスター装置４０は、このＭＩＣＲデータを受信する。そして、レジスター装置側ＣＰＵ４１は、小切手Ｓの認証を行うために小切手処理装置１０から受け取ったＭＩＣＲデータを決済機関サーバ６０に送信し、かつレジスター装置側ＣＰＵ４１は、小切手Ｓの認証結果を決済機関サーバ６０から受け取る前に、小切手処理装置１０に小切手Ｓの画像データの送信要求を行う。そして、小切手処理装置側ＣＰＵ３６は、小切手処理装置側通信制御部３５を介してレジスター装置４０がＭＩＣＲデータを送信してから認証結果を受け取るまでの間に、前記レジスター装置４０に小切手画像データを送信する。
【００６１】
したがって、本実施形態の小切手処理システム１によれば、ＭＩＣＲ認証のための待ち時間を利用して、予め表面画像データを小切手処理装置１０からレジスター装置４０まで送信するように構成している。したがって、待ち時間を有効に利用することによって、小切手処理装置１０に、行われるべき処理を前倒しで行わせ、トータルの小切手処理時間を短縮することが可能である。これにより、認証時間の間に買物客を待たせる時間が減少し、効率的に業務を行うことが可能となる。
【００６２】
また、本実施形態によれば、小切手処理装置１０は、小切手Ｓ上に印字を行う表面印字部２５および裏面印字部２３を備えている。したがって、小切手Ｓ上に印字を行う必要があれば、この小切手処理装置１０を用いて所望の印字を行うことが可能となる。
【００６３】
また、本実施形態によれば、レジスター装置４０は、ステップＳ１２３で表面画像データ送信要求を行い、小切手処理装置１０から表面画像データを受信するように構成したが、これに限られることはない。
【００６４】
例えば、小切手処理装置１０は、ステップＳ１１４で生成されるＭＩＣＲ読み取りおよび小切手画像読み取り指示コマンドを受け取ると、ＭＩＣＲを読み取ってＭＩＣＲデータをレジスター装置４０に送信し、そしてステップＳ１１７で小切手表面画像を読み取った後にレジスター装置４０からの表面画像データ送信要求を受信することなく、小切手表面画像データをレジスター装置４０に送信するように構成してもよい。すなわち、小切手処理装置１０は、ＭＩＣＲデータおよび前記小切手画像データを順次送信するように構成してもよい。
【００６５】
（第２実施形態）
図６は、本発明に係る第２実施形態の小切手処理装置１００の機能ブロック図であり、また図７は、本実施形態の小切手処理システム１を用いた一連の小切手処理を示すフローチャートである。以下の説明では、第１実施形態と同様の作用を奏する部材については同一の参照番号を付して、説明を省略する。
【００６６】
本実施形態の小切手処理装置１００は、銀行の窓口に配置され、小切手の現金化等の決済を実行可能なシステムである。この小切手処理装置１００は、図６に示すように、小切手処理装置１１０と、この小切手処理装置１１０のホストコンピュータとして小切手処理装置１１０を制御する小切手処理端末１４０とを有している。
【００６７】
図６に示すように、本実施形態の小切手処理システム１００では、小切手処理装置１１０と小切手処理端末１４０とが通信ケーブル１３８で接続されている。また小切手処理端末１４０は、ネットワーク１５０を介して決済機関サーバ１６０に接続されている。本実施形態では、ネットワーク１５０は、例えば銀行内部の社内ＬＡＮであり、決済機関サーバ１６０は、例えば社内に設置された口座管理用のサーバである。
【００６８】
本実施形態の小切手処理システム１００の小切手処理装置１１０は、中央処理装置１３６（以下、小切手処理装置側ＣＰＵ１３６と呼ぶ）を有しており、この小切手処理装置側ＣＰＵ１３６を中心として、各部材が制御されている。具体的に、小切手処理装置１１０は、ＭＩＣＲ読み取りセンサ３０、表面印字部２５、裏面印字部２３、小切手表面画像情報読み取りセンサ１１１、小切手裏面画像情報読み取りセンサ１１２、小切手搬送部３３、小切手検出部３４，メモリ３２、小切手処理装置側通信制御部３５を有している。
【００６９】
小切手表面画像情報読み取りセンサ１１１および小切手裏面画像情報読み取りセンサ１１２は、それぞれ小切手Ｓの表面および裏面をスキャンし、画像を読み取るためのスキャナである。銀行業務においては、小切手Ｓの表面および裏面の記載が用いられるため、その双方を記録保存するために小切手表面画像情報読み取りセンサ１１１および小切手裏面画像情報読み取りセンサ１１２を用いて両面をスキャンするように構成されている。
【００７０】
その他の構成は、第１実施形態に記載のものと同等の作用効果を奏する。
【００７１】
次に、同じく図６を参照しながら、小切手処理端末１４０について説明を行う。小切手処理端末１４０は、小切手処理端末１４０の各部材の制御を実行する中央処理装置１４１（以下、小切手処理端末側ＣＰＵ１４１と呼ぶ）を中心に、入力部１４２、表示部１４７、小切手処理端末側通信制御部１４３、ネットワーク通信制御部４４、およびメモリ４５が設けられている。
【００７２】
入力部１４２は、銀行の行員による数値等の入力を行うためのものであり、キーボードやマウス等の入力用インターフェースによって構成されている。また、表示部１４７は、同じく銀行の行員が小切手処理端末の状態を確認するためのディスプレイである。また、小切手処理端末側通信制御部１４３は、ＵＳＢ等の通信ケーブル１３８を介して小切手処理装置１１０とデータ通信を行うための制御部である。その他の構成は、第１実施形態に記載のものと同等である。
【００７３】
次に、図７を参照しながら、本実施形態の小切手処理システム１００を用いた小切手処理について説明を行う。本実施形態の小切手処理は、小切手処理装置１１０内の小切手処理装置側ＣＰＵ１３６がメモリ３２内に保存された小切手処理用の実行プログラムを実行し、そして小切手処理端末１４０のレジスター装置側ＣＰＵがメモリ４５内に保存された小切手処理用のアプリケーションプログラムを実行することにより行われるものである。
【００７４】
まず、銀行窓口において、顧客からの要望により小切手の処理を行う旨を小切手入力端末１４０に入力すると、小切手処理端末１４０の小切手処理端末側ＣＰＵ１４１は、表示部１４２に顧客の小切手Ｓを挿入するように促すメッセージを表示させる（ステップＳ２１１）。
【００７５】
ここで、小切手Ｓは、既に金額等の必要事項が記載されているものを挿入するという前提で以下を説明する。なお、金額等の必要事項が記載されていない場合には、以下の処理を始める前準備として、小切手処理装置１１０を用いて、小切手Ｓに必要事項を印字するように構成しても良い。
【００７６】
小切手処理装置１１０は、ステップＳ２１２にて、小切手Ｓの挿入を待ち、小切手Ｓが挿入されると、小切手の挿入が行われた旨を小切手処理端末１４０に通知する（ステップＳ２１３）。
【００７７】
小切手処理端末１４０は、小切手処理装置１１０から挿入通知を受信すると、小切手Ｓ上に印字されたＭＩＣＲと小切手Ｓの表面および裏面画像を読み取るよう指示するＭＩＣＲ読み取りおよび小切手画像読み取り指示コマンドを生成し、小切手処理装置１１０に送信する（ステップＳ２１４）。
【００７８】
小切手処理装置１１０は、小切手処理端末１４０からＭＩＣＲ読み取りおよび小切手画像読み取り指示コマンドを受信すると、ＭＩＣＲ読み取りセンサ３０を用いて、挿入された小切手Ｓの表面に印字されたＭＩＣＲを読み取り、読み取ったＭＩＣＲデータをメモリ３２に一時的に保存する（ステップＳ２１５）。そして、小切手処理装置１１０は、ステップＳ２１６にて、メモリ３２に一時的に保存されたＭＩＣＲデータを小切手処理端末１４０に送信する。
【００７９】
また、小切手処理装置１１０は、ステップＳ２１６の処理と連続して、小切手表面画像情報読み取りセンサ１１１および小切手裏面画像情報読み取りセンサ１１２を用いて、小切手Ｓの表面および裏面をスキャンして、表面画像および裏面画像を読み取り、そして読み取った表面画像データおよび裏面画像データをメモリ３２に一時的に保存する（ステップＳ２１７およびステップＳ２１８）。
【００８０】
小切手処理端末１４０は、ステップＳ２１９にてＭＩＣＲデータを受信すると、顧客が提示した小切手Ｓが利用可能なものかどうかを確認するためにＭＩＣＲデータ認証要求を生成し、ネットワーク１５０を介して決済機関サーバ１６０に送信する（ステップＳ２２０）。
【００８１】
決済機関サーバ１６０は、ステップＳ２２１にて小切手処理端末１４０からＭＩＣＲデータ認証要求を受け取ると、決済機関サーバ１６０内に保存されているデータとの照合を行い、小切手処理端末１４０から送信されたＭＩＣＲデータが正規のものであるかどうか、および現在利用可能なものかどうかについて確認を行う（ステップＳ２２２）。そして、データの確認結果を基に、認証結果通知を作成し、この認証結果通知を小切手処理端末１４０に返信する（ステップＳ２２３）。
【００８２】
一方、小切手処理端末１４０は、ステップＳ２２０にて、ＭＩＣＲデータ認証要求を生成し、ネットワーク１５０を介して決済機関サーバ１６０に送信すると、ステップＳ２２４に移行し、小切手処理装置１１０に読み取った小切手Ｓの表面画像データおよび裏面画像データを送信するよう要求する画像データ送信要求を生成し、小切手処理装置１１０に送信する（ステップＳ２２４）。
【００８３】
小切手処理装置１１０は、ステップＳ２２５にて小切手処理端末１４０から画像データ送信要求を受信すると、メモリ３２に保存されている小切手Ｓの表面画像データおよび裏面画像データを読み出して、小切手処理端末１４０に送信する（ステップＳ２２６）。
【００８４】
そして、小切手処理端末１４０は、小切手処理装置１１０から表面画像データおよび裏面画像データを受信すると、受信した表面画像データおよび裏面画像データをメモリ４５に読み取ったＭＩＣＲデータと関連付けて保存する（ステップＳ２２７）。
【００８５】
そして、次に小切手処理端末１４０は、表示部１４７に小切手Ｓの表面画像データを表示させ、あわせて窓口の行員に小切手金額を入力するように促すメッセージを表示させる（ステップＳ２２８）。窓口の行員は、このメッセージに応じて小切手Ｓの表面画像データを参照しながら、入力部１４２を介して小切手金額を入力する。そして小切手の金額が入力されると（ステップＳ２２９）、小切手処理端末１４０は、入力された小切手金額を受信した表面画像データおよび裏面画像データ、ならびにＭＩＣＲデータとともに関連付けて保存する（ステップＳ２３０）。
【００８６】
なお、本実施形態では、ＭＩＣＲ認証要求を決済機関サーバ１６０に送信してから、認証結果を受信するよりも早く、小切手処理端末１４０は、小切手処理装置１１０から表面画像データを受信し、窓口の行員による小切手金額の入力が終了可能となるように構成されている。一般に、ＭＩＣＲ認証には、ある程度の時間が必要となるが、本実施形態では、この待ち時間を利用して、予め表面画像データを小切手処理装置１０から小切手処理端末１４０まで送信し、かつ窓口の行員による小切手金額の入力が終了可能となるように構成している。
【００８７】
その後、小切手処理端末１４０は、ステップＳ２３１にて、決済機関サーバ１６０から認証結果を受信すると、小切手Ｓの認証結果が問題ないかどうかについて確認する（ステップＳ２３２）。ここで、認証結果が問題なければ、一連の小切手処理を完了する（ステップＳ２３３）。この最終処理とは、例えば、ステップＳ２３０で一時的に保存されていたデータを、取引データとして不揮発性の記録装置に記録したり、表示部１４７およびメモリ４５を初期状態に戻したりする処理である。
【００８８】
一方、認証結果に問題があれば、小切手処理を全てキャンセルし、処理を終了する（ステップＳ２３４）。即ち、ステップＳ２３０で一時的に保存されていたデータを消去し、表示部１４７およびメモリ４５を初期状態に戻す。
【００８９】
以上説明したように、本実施形態の小切手処理システム１００は、小切手処理装置１１０と、小切手処理装置１１０のホストコンピュータとしての小切手処理端末１４０とを備えている。
【００９０】
小切手処理装置１１０は、小切手Ｓ上に記録されたＭＩＣＲを読み取り、ＭＩＣＲデータを入手するＭＩＣＲ読み取りセンサ３０と、小切手Ｓの表面および裏面をスキャンして、小切手Ｓの表面画像データおよび裏面画像データを生成する小切手表面画像情報読み取りセンサ１１１および小切手裏面画像情報読み取りセンサ１１２と、小切手処理端末１４０との間でデータ通信を行う小切手処理装置側通信制御部３５と、小切手処理端末１４０からの指示に基づき、ＭＩＣＲ読み取りセンサ３０および小切手表面画像情報読み取りセンサ１１１および小切手裏面画像情報読み取りセンサ１１２を制御する小切手処理装置側ＣＰＵ１３６と、を備えている。
【００９１】
一方、ホストコンピュータとしての小切手処理端末１４０は、小切手処理装置１１０および決済機関サーバ１６０との間でデータ通信を行う小切手処理端末側通信制御部１４３およびネットワーク通信制御部４４と、小切手処理端末側通信制御部１４３を介して小切手処理装置１１０を制御する小切手処理端末側ＣＰＵ１４１と、を備えている。
【００９２】
本実施形態では、小切手処理装置側ＣＰＵ１３６は、小切手Ｓの認証を行うために小切手処理装置側通信制御部３５を介して小切手処理端末１４０にＭＩＣＲデータを送信し、小切手処理端末１４０は、このＭＩＣＲデータを受信する。そして、小切手処理端末側ＣＰＵ１４１は、小切手Ｓの認証を行うために小切手処理装置１１０から受け取ったＭＩＣＲデータを決済機関サーバ１６０に送信し、かつ小切手処理端末側ＣＰＵ１４１は、小切手Ｓの認証結果を決済機関サーバ１６０から受け取る前に、小切手処理装置１１０に小切手Ｓの表面画像データおよび裏面画像データの送信要求を行う。そして、小切手処理装置側ＣＰＵ１３６は、小切手処理装置側通信制御部３５を介して小切手処理端末１４０がＭＩＣＲデータを送信してから認証結果を受け取るまでの間に、小切手処理端末１４０に小切手画像データを送信する。
【００９３】
したがって、本実施形態の小切手処理システム１００によれば、ＭＩＣＲ認証のための待ち時間を利用して、予め表面画像データを小切手処理装置１１０から小切手処理端末１４０まで送信するように構成している。したがって、待ち時間を有効に利用することによって、小切手処理装置１１０に、行われるべき処理を前倒しで行わせ、トータルの小切手処理時間を短縮することが可能である。これにより、認証時間の間に買物客を待たせる時間が減少し、効率的に業務を行うことが可能となる。
【００９４】
また、本実施形態によれば、小切手処理装置１０は、小切手Ｓ上に印字を行う表面印字部２５および裏面印字部２３を備えている。したがって、小切手Ｓ上に印字を行う必要があれば、この小切手処理装置１０を用いて所望の印字を行うことが可能となる。
【００９５】
また、本実施形態によれば、ＭＩＣＲ認証要求を決済機関サーバ１６０に送信してから、認証結果を受信するよりも早く、小切手処理端末１４０は、小切手処理装置１０から表面画像データを受信し、窓口の行員による小切手金額の入力が終了可能となるように構成されている。したがって、さらに待ち時間を有効に利用することによって、小切手処理装置１１０に、行われるべき処理を前倒しで行わせ、トータルの小切手処理時間を短縮することが可能である。これにより、認証時間の間に銀行の窓口で待つ顧客を待たせる時間が減少し、効率的に業務を行うことが可能となる。
【００９６】
また、本実施形態によれば、小切手処理端末１４０は、ステップＳ２２４で表面画像データ送信要求を行い、小切手処理装置１１０から表面画像データを受信するように構成したが、これに限られることはない。
【００９７】
例えば、小切手処理装置１１０は、ステップＳ２１４で生成されるＭＩＣＲ読み取りおよび小切手画像読み取り指示コマンドを受け取ると、ＭＩＣＲを読み取ってＭＩＣＲデータを小切手処理端末１４０に送信し、そしてステップＳ２１８で小切手裏面画像を読み取った後に小切手処理端末１４０からの表面画像データ送信要求を受信することなく、小切手Ｓの表面画像データおよび裏面画像データを小切手処理端末１４０に送信するように構成してもよい。すなわち、小切手処理装置１１０は、ＭＩＣＲデータおよび前記小切手画像データを順次送信するように構成してもよい。
【００９８】
【発明の効果】
以上、本発明の小切手処理システムによれば、ＭＩＣＲ認証のための待ち時間を利用して、予め表面画像データを小切手処理装置からホストコンピュータまで送信するように構成している。したがって、待ち時間を有効に利用することによって、小切手処理装置に、行われるべき処理を前倒しで行わせ、トータルの小切手処理時間を短縮することが可能である。これにより、認証時間の間に顧客を待たせる時間が減少し、効率的に業務を行うことが可能となる。
【図面の簡単な説明】
【図１】本発明に係る第１実施形態の小切手処理装置を示す図である。
【図２】本発明に係る第１実施形態の小切手処理装置の小切手搬送路の断面を説明する図である。
【図３】本発明に係る第１実施形態の小切手処理システムの機能ブロック図である。
【図４】本発明に係る第１実施形態の小切手処理システムを用いた一連の小切手処理を示すフローチャートである。
【図５】本発明に係る第１実施形態の小切手処理システムを用いた一連の小切手処理を示すフローチャートである。
【図６】本発明に係る第２実施形態の小切手処理システムの機能ブロック図である。
【図７】本発明に係る第２実施形態の小切手処理システムを用いた一連の小切手処理を示すフローチャートである。
【符号の説明】
１，１００・・小切手処理システム
１０，１１０・・小切手処理装置
４０・・レジスター装置
１４０・・小切手処理端末
５０，１５０・・ネットワーク
６０，１６０・・決済機関サーバ
２３・・裏面印字部
２５・・表面印字部
３１・・ロール紙印字部
２６・・小切手画像情報読み取りセンサ
３０・・ＭＩＣＲ読み取りセンサ
３２・・メモリ
３３・・小切手搬送部
３４・・小切手検出部
３５・・小切手処理装置側通信制御部
３６・・小切手処理装置側ＣＰＵ
４２・・タッチパネル
４３・・レジスター装置側通信制御部
４４・・ネットワーク通信制御部
４６・・クレジットカードリーダ
４７・・表示部
【図１】
2004341934.tif 000003
【図２】
2004341934.tif 000004
【図３】
2004341934.tif 000005
【図４】
2004341934.tif 000006
【図５】
2004341934.tif 000007
【図６】
2004341934.tif 000008
【図７】
2004341934.tif 000009